(57)【特許請求の範囲】
【請求項１】
デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機であって、
ユーザが受信を希望する希望チャンネルが該ユーザの所定操作によって指定されると、該希望チャンネルを示すチャンネル指定情報を出力する選局手段と、
所定の複数のチャンネルのそれぞれに対しデジタル放送用に割り当てられた正規の周波数、上側オフセットの周波数、および下側オフセットの周波数の３種類の周波数を予め記憶しているチャンネル初期データ記憶手段と、
前記希望チャンネルに割り当てられた前記３種類の周波数のうちのいずれかの周波数での選局動作を指示する制御信号を受け取り、前記アンテナで受信されたデジタル地上波信号に対して該制御信号に基づき選択および復調動作を行い、該選局動作が正常に完了したか否かを示す情報である同期確認情報を生成するフロントエンド部と、
前記チャンネル指定情報に基づいて前記制御信号を生成し、生成された前記制御信号を前記フロントエンド部に供給することにより前記フロントエンド部を制御する制御手段と
を備え、
前記制御手段は、
１つのチャンネルに割り当てられた前記３種類の周波数として前記チャンネル初期データ記憶手段に記憶されている周波数に基づき前記制御信号を生成し、生成された前記制御信号を前記フロントエンド部に供給することよって得られる前記同期確認情報に基づき、該１つのチャンネルに割り当てられた前記３種類の周波数の中からデジタル放送に使用されている放送周波数をサーチする単チャンネル選局サーチ手段を含み、
前記単チャンネル選局サーチ手段により前記希望チャンネルの放送周波数を求める、デジタル地上波放送用受信機。
【請求項２】
デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機であって、
ユーザが受信を希望する希望チャンネルが該ユーザの所定操作によって指定されると、該希望チャンネルを示すチャンネル指定情報を出力する選局手段と、
所定のプリセットの指示を受け取り、該プリセットの指示に応答して、所定の複数のチャンネルのそれぞれを指定するチャンネル指定情報を１チャンネルずつ順次出力する全チャンネル走査手段と、
前記複数のチャンネルのそれぞれに対しデジタル放送用に割り当てられた正規の周波数、上側オフセットの周波数、および下側オフセットの周波数の３種類の周波数を予め記憶しているチャンネル初期データ記憶手段と、
前記複数のチャンネルの各チャンネルのデジタル放送に使用される周波数を前記各チャンネルと対応付けて保存するための書き換え自在の不揮発性記憶手段と、
１つのチャンネルに割り当てられた前記３種類の周波数のうちのいずれかの周波数での選局動作を指示する制御信号を受け取り、前記アンテナで受信されたデジタル地上波信号に対して該制御信号に基づき選択および復調動作を行い、該選局動作が正常に完了したか否かを示す情報である同期確認情報を生成するフロントエンド部と、
前記選局手段または前記全チャンネル走査手段から出力される前記チャンネル指定情報に基づいて前記制御信号を生成し、生成された前記制御信号を前記フロントエンド部に供給することにより前記フロントエンド部を制御する制御手段とを備え、
前記制御手段は、
前記全チャンネル走査手段が前記プリセットの指示を受け取ると、前記全チャンネル走査手段から順次出力されるチャンネル指定情報のそれぞれで指定されるチャンネルである指定チャンネルに割り当てられた前記３種類の周波数として前記チャンネル初期データ記憶手段に記憶されている周波数に基づき前記制御信号を生成し、生成された前記制御信号を前記フロントエンド部に供給することによって得られる前記同期確認情報に基づき、前記指定チャンネルに割り当てられた前記３種類の周波数の中からデジタル放送に使用されている放送周波数をサーチし、該サーチによって得られる放送周波数を前記指定チャンネルと対応付けて前記不揮発性記憶手段に保存する全チャンネル選局サーチ手段を含み、
前記選局手段から前記チャンネル指定情報が出力されると、前記希望チャンネルに対応付けて前記不揮発性記憶手段に保存されている放送周波数を読み出し、該読み出された周波数での選局動作を指示する前記制御信号を生成して前記フロントエンド部に供給する、デジタル地上波放送用受信機。
【請求項３】
ユーザによって操作されることにより前記全チャンネル走査手段に前記プリセットの指示を与える全チャンネルサーチ指示手段を更に備える、請求項２に記載のデジタル地上波放送用受信機。
【請求項４】
前記全チャンネル走査手段に前記プリセットの指示を与える信号を予め決められた所定期間毎に出力するタイマー手段を更に備える、請求項２に記載のデジタル地上波放送用受信機。
【請求項５】
所定の通信路によって伝送される情報を受信し、受信された該情報がデジタル放送用の新規チャンネルの追加またはチャンネル配置の変更があったことを示している場合に前記全チャンネル走査手段に前記プリセットの指示を与える受信手段を更に備える、請求項２に記載のデジタル地上波放送用受信機。
【請求項６】
前記デジタル地上波信号は、ＯＦＤＭ変調信号であり、
前記フロントエンド部は、
前記デジタル地上波信号を復調するＯＦＤＭ復調手段を含み、
前記ＯＦＤＭ復調手段が前記デジタル地上波信号を正しく復調したときに前記同期確認情報としてＯＦＤＭ同期信号を生成する、請求項１または２に記載のデジタル地上波放送用受信機。
【請求項７】
前記デジタル地上波信号は、ＯＦＤＭ変調信号であり、
前記フロントエンド部は、
前記デジタル地上波信号を復調するＯＦＤＭ復調手段と、
前記ＯＦＤＭ復調手段のシステムクロックを生成するための電圧制御発振手段とを含み、
前記同期確認情報は、前記電圧制御発振手段に供給される制御電圧を示す信号である、請求項１または２に記載のデジタル地上波放送用受信機。
【請求項８】
前記デジタル地上波信号は、ＯＦＤＭ変調信号であり、
前記フロントエンド部は、
前記デジタル地上波信号を復調するＯＦＤＭ復調手段と、
前記ＯＦＤＭ復調手段が前記デジタル地上波信号を復調することによって得られる信号に含まれる誤りを訂正する誤り訂正手段とを含み、
前記同期確認情報は、前記誤り訂正手段によって生成されるＢＥＲ測定情報である、請求項１または２に記載のデジタル地上波放送用受信機。
【請求項９】
前記単チャンネル選局サーチ手段は、前記３種類の周波数の中で正規の周波数を優先してサーチする、請求項１に記載のデジタル地上波放送用受信機。
【請求項１０】
前記全チャンネル選局サーチ手段は、前記３種類の周波数の中で正規の周波数を優先してサーチする、請求項２に記載のデジタル地上波放送用受信機。
【請求項１１】
前記単チャンネル選局サーチ手段は、
前記１つのチャンネルに割り当てられた前記３種類の周波数のうちのいずれかの周波数である第１の周波数での選局動作を指示する制御信号を前記フロントエンド部に供給することによって得られる同期確認情報に基づき、該第１の周波数での選局動作が正常に完了したか否かを判定する第１同期確認手段と、
前記第１の周波数での選局動作が正常に完了しないと判定された場合に、前記１つのチャンネルに割り当てられた前記３種類の周波数のうち前記第１の周波数以外の第２の周波数での選局動作を指示する制御信号を前記フロントエンド部に供給することによって得られる同期確認情報に基づき、該第２の周波数での選局動作が正常に完了したか否かを判定する第２同期確認手段とを含み、
前記第１の周波数での選局動作が正常に完了したと判定された場合は前記第１の周波数を前記１つのチャンネルの放送周波数とみなし、前記第２の周波数での選局動作が正常に完了したと判定された場合は前記第２の周波数を前記１つのチャンネルの放送周波数とみなし、前記第１および第２の周波数のいずれの周波数での選局動作も正常に完了しないと判定された場合は、前記１つのチャンネルに割り当てられた前記３種類の周波数のうち前記第１および第２の周波数以外の第３の周波数を前記１つのチャンネルの放送周波数とみなす、請求項１に記載のデジタル地上波放送用受信機。
【請求項１２】
前記単チャンネル選局サーチ手段は、
前記１つのチャンネルに割り当てられた前記３種類の周波数のうちのいずれかの周波数である第１の周波数での選局動作を指示する制御信号を前記フロントエンド部に供給することによって得られる同期確認情報に基づき、該第１の周波数での選局動作が正常に完了したか否かを判定する第１同期確認手段と、
前記第１の周波数での選局動作が正常に完了しないと判定された場合に、前記１つのチャンネルに割り当てられた前記３種類の周波数のうち前記第１の周波数以外の第２の周波数での選局動作を指示する制御信号を前記フロントエンド部に供給することによって得られる同期確認情報に基づき、該第２の周波数での選局動作が正常に完了したか否かを判定する第２同期確認手段と、
前記第１および第２の周波数のいずれの周波数での選局動作も正常に完了しないと判定された場合に、前記１つのチャンネルに割り当てられた前記３種類の周波数のうち前記第１および第２の周波数以外の第３の周波数での選局動作を指示する制御信号を前記フロントエンド部に供給することによって得られる同期確認情報に基づき、該第３の周波数での選局動作が正常に完了したか否かを判定する第３同期確認手段とを含み、
前記第１の周波数での選局動作が正常に完了したと判定された場合は前記第１の周波数を前記１つのチャンネルの放送周波数とみなし、前記第２の周波数での選局動作が正常に完了したと判定された場合は前記第２の周波数を前記１つのチャンネルの放送周波数とみなし、前記第３の周波数での選局動作が正常に完了したと判定された場合は前記第３の周波数を前記１つのチャンネルの放送周波数とみなす、請求項１に記載のデジタル地上波放送用受信機。
【請求項１３】
前記全チャンネル選局サーチ手段は、
前記指定チャンネルに割り当てられた前記３種類の周波数のうちのいずれかの周波数である第１の周波数での選局動作を指示する制御信号を前記フロントエンド部に供給することによって得られる同期確認情報に基づき、該第１の周波数での選局動作が正常に完了したか否かを判定する第１同期確認手段と、
前記第１の周波数での選局動作が正常に完了しないと判定された場合に、前記指定チャンネルに割り当てられた前記３種類の周波数のうち前記第１の周波数以外の第２の周波数での選局動作を指示する制御信号を前記フロントエンド部に供給することによって得られる同期確認情報に基づき、該第２の周波数での選局動作が正常に完了したか否かを判定する第２同期確認手段と、
前記第１および第２の周波数のいずれの周波数での選局動作も正常に完了しないと判定された場合に、前記指定チャンネルに割り当てられた前記３種類の周波数のうち前記第１および第２の周波数以外の第３の周波数での選局動作を指示する制御信号を前記フロントエンド部に供給することによって得られる同期確認情報に基づき、該第３の周波数での選局動作が正常に完了したか否かを判定する第３同期確認手段とを含み、
前記第１の周波数での選局動作が正常に完了したと判定された場合は前記第１の周波数を前記指定チャンネルの放送周波数として前記不揮発性記憶手段に保存し、前記第２の周波数での選局動作が正常に完了したと判定された場合は前記第２の周波数を前記指定チャンネルの放送周波数として前記不揮発性記憶手段に保存し、前記第３の周波数での選局動作が正常に完了したと判定された場合は前記第３の周波数を前記指定チャンネルの放送周波数として前記不揮発性記憶手段に保存する、請求項２に記載のデジタル地上波放送用受信機。
【請求項１４】
デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機のための受信チャンネル選局方法であって、
所定の複数のチャンネルのそれぞれに対しデジタル放送用に割り当てられた正規の周波数、上側オフセットの周波数、および下側オフセットの周波数の３種類の周波数を予め記憶するチャンネル初期データ記憶ステップと、
ユーザが受信を希望する希望チャンネルが該ユーザの所定操作によって指定されると、該希望チャンネルを示すチャンネル指定情報を出力するチャンネル指定ステップと、
前記希望チャンネルに割り当てられた前記３種類の周波数として前記チャンネル初期データ記憶ステップで予め記憶されている周波数に基づき、前記３種類の周波数のいずれかの周波数での選局動作を指示する制御信号を生成する制御信号生成ステップと、
生成された前記制御信号に基づき、前記アンテナで受信されたデジタル地上波信号に対して選択および復調動作を行い、該選択および復調動作を含む前記選局動作が正常に完了したか否かを示す情報である同期確認情報を生成する同期確認情報生成ステップと、
前記同期確認情報に基づき、前記希望チャンネルに割り当てられた前記３種類の周波数の中からデジタル放送に使用されている放送周波数をサーチするサーチステップと、
を備える受信チャンネル選局方法。
【請求項１５】
デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機のための受信チャンネル選局方法であって、
所定の複数のチャンネルのそれぞれに対しデジタル放送用に割り当てられた正規の周波数、上側オフセットの周波数、および下側オフセットの周波数の３種類の周波数を予め記憶するチャンネル初期データ記憶ステップと、
所定のプリセットの指示を受け取り、該プリセットの指示に応答して、所定の複数のチャンネルのそれぞれを指定するチャンネル指定情報を１チャンネルずつ順次出力する全チャンネル走査ステップと、
前記プリセットの指示を受け取ると、順次出力される前記チャンネル指定情報のそれぞれで指定されるチャンネルである指定チャンネルに割り当てられた前記３種類の周波数として予め記憶された周波数に基づき、前記３種類の周波数のいずれかの周波数での選局動作を指示する制御信号を生成する第１制御信号生成ステップと、
前記第１制御信号生成ステップで生成された前記制御信号に基づき、前記アンテナで受信されたデジタル地上波信号に対して選択および復調動作を行い、該選択および復調動作を含む前記選局動作が正常に完了したか否かを示す情報である同期確認情報を生成する同期確認情報生成ステップと、
前記同期確認情報に基づき、前記指定チャンネルに割り当てられた前記３種類の周波数の中からデジタル放送に使用されている放送周波数をサーチするサーチステップと、
前記サーチステップで得られる放送周波数を前記指定チャンネルと対応付けて所定の不揮発性記憶手段に保存する保存ステップと、
ユーザが受信を希望する希望チャンネルが該ユーザの所定操作によって指定されると、該希望チャンネルを示すチャンネル指定情報を出力するチャンネル指定ステップと、
前記チャンネル指定ステップで前記チャンネル指定情報が出力されると、前記希望チャンネルに対応付けて前記不揮発性記憶手段に保存されている放送周波数を読み出す読出ステップと、
前記不揮発性記憶手段から読み出された前記周波数での選局動作を指示する制御信号を生成する第２制御信号生成ステップと、
前記第２制御信号生成ステップで生成された前記制御信号に基づき、前記アンテナで受信されたデジタル地上波信号に対して選択および復調動作を行う選局動作ステップと、
を備える受信チャンネル選局方法。
【発明の詳細な説明】
【０００１】
【発明の属する技術分野】
本発明は、デジタル地上波放送用受信機に関するものである。
【０００２】
【従来の技術】
従来のアナログ地上波放送は、１つのチャンネルに対して、１つの正規の周波数が割り当てられている。そのため、アナログ地上波放送用受信機は、１つの選局チャンネルに対して、１つの周波数を割り当てる方式を使用しており、１つの希望のチャンネルを選局した場合に、１つの割り当てた周波数を選択する構成となっており、確実に選局することができた。また、周波数ずれを起こした場合、多少時間は有するが、自動で同調周波数をずらして正しく選局する構成となっていた。
【０００３】
しかしながら、デジタル地上波放送では、１つのチャンネルに対して、正規の周波数、上側オフセットの周波数、下側オフセットの周波数という３種類の周波数のいずれかを割り当てるようになっており、どの周波数を割り当てるかは、地域によって異なっており、決定されていない。したがって、デジタル放送を行う各放送局が、その放送局に割り当てられたチャンネルに対する３種類の周波数のうちいずれを使用するかを決めることになる。
【０００４】
地上波放送がアナログ方式からデジタル方式へと移行する時期においては、地域によってはデジタル放送のチャンネルの隣接チャンネルでアナログ放送が行われていることがある。この場合、そのデジタル放送の電波とその隣接チャンネルのアナログ放送の電波とが互いに妨害し合うおそれがあるので、デジタル放送を行う放送局は、そのデジタル放送に割り当てられたチャンネルに対して用意された３種類の周波数のうちいずれを使用するかを、その隣接チャンネルにおけるアナログ放送の存在を考慮して決定する。
【０００５】
いま、デジタル放送を行う放送局に２１ｃｈが割り当てられているものとすると（ここで、チャンネル番号Ｎのチャンネルを「Ｎｃｈ」と表記すものとする。以下同様。）、その放送局の位置する地域において、例えば図１９に示すように隣接チャンネルである２０ｃｈと２２ｃｈのいずれにおいてもアナログ放送が行われていない場合には、その放送局によるデジタル放送の周波数として２１ｃｈの正規の周波数が使用される。これに対し、その放送局の位置する地域において、例えば図２０に示すように上側の隣接チャンネルである２２ｃｈでアナログ放送が行われている場合には、２１ｃｈの正規の周波数でデジタル放送が行われると（すなわち図２０において点線で示された周波数帯がデジタル放送で使用されるとすると）、そのデジタル放送の電波と２２ｃｈのアナログ放送の電波とが互いに妨害し合うことになる。そこで、この場合には、その放送局によるデジタル放送の周波数として２１ｃｈの下側オフセットの周波数が使用される。また、図２１に示すように下側の隣接チャンネルである２０ｃｈでアナログ放送が行われている場合には、２１ｃｈの正規の周波数でデジタル放送が行われると（すなわち図２１において点線で示された周波数帯がデジタル放送で使用されるとすると）、そのデジタル放送の電波と２０ｃｈのアナログ放送の電波とが互いに妨害し合うため、その放送局によるデジタル放送の周波数として２１ｃｈの上側オフセットの周波数が使用される。
【０００６】
【発明が解決しようとする課題】
しかし、現時点では、地上波デジタル放送のチャンネルの隣接チャンネルにおけるアナログ放送の存在によってそのデジタル放送の電波とそのアナログ放送の電波とが互いに妨害し合うという事態には至っていない。
【０００７】
そのため、従来のデジタル地上波放送用受信機は、１つの希望するチャンネルを選局する場合に１つの正規の周波数のみを選択するように構成されている。このため、従来のデジタル地上波放送用受信機では選局できないチャンネルが存在し得る、という問題があった。
【０００８】
ところで地上波放送用受信機は、通常、受信可能な放送の全てのチャンネルの放送周波数をサーチして、そのサーチ結果を保存するという機能（プリセット機能）を有している。デジタル地上波放送用受信機がこのようなプリセット機能を有している場合、地上波放送がアナログ方式からデジタル方式へと移行する時期においては、プリセット後に、新規チャンネルでデジタル放送が開始されたり、或るチャンネルの放送がアナログ放送からデジタル放送へと変更されたり、または、或るチャンネルのデジタル放送の周波数が変更されたり（例えば正規の周波数から下側オフセットの周波数に変更されたり）するという状況も生じうる。このような状況が生じると、その新規チャンネルやそのような変更の対象となったチャンネルのデジタル放送を受信することができなくなる。
【０００９】
それ故、本発明の目的は、地上波放送のアナログ方式からデジタル方式への移行に伴って生じる上記の問題を解消し、確実に希望チャンネルのデジタル放送を受信することができるデジタル地上波放送用受信機を提供することである。すなわち、本発明の目的は、デジタル放送に使用される周波数として１つのチャンネルに対して３種類が割り当てられていることを考慮して確実に希望チャンネルのデジタル放送を受信できるデジタル地上波放送用受信機を提供することである。また、本発明の他の目的は、各チャンネルのプリセット後に、新規チャンネルでデジタル放送が開始された場合、或るチャンネルの放送がアナログ放送からデジタル放送へと変更された場合、または、或るチャンネルのデジタル放送の周波数が変更された場合であっても、それらのチャンネルのデジタル放送を受信することができるデジタル地上波放送用受信機を提供することである。
【００１０】
【課題を解決するための手段および発明の効果】
第１の発明は、デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機であって、
ユーザが受信を希望する希望チャンネルが該ユーザの所定操作によって指定されると、該希望チャンネルを示すチャンネル指定情報を出力する選局手段と、
所定の複数のチャンネルのそれぞれに対しデジタル放送用に割り当てられた正規の周波数、上側オフセットの周波数、および下側オフセットの周波数の３種類の周波数を予め記憶しているチャンネル初期データ記憶手段と、
希望チャンネルに割り当てられた３種類の周波数のうちのいずれかの周波数での選局動作を指示する制御信号を受け取り、アンテナで受信されたデジタル地上波信号に対して該制御信号に基づき選択および復調動作を行い、該選局動作が正常に完了したか否かを示す情報である同期確認情報を生成するフロントエンド部と、
チャンネル指定情報に基づき制御信号を生成し、生成された制御信号をフロントエンド部に供給することによりフロントエンド部を制御する制御手段と
を備え、
制御手段は、
１つのチャンネルに割り当てられた３種類の周波数としてチャンネル初期データ記憶手段に記憶されている周波数に基づき制御信号を生成し、生成された制御信号をフロントエンド部に供給することよって得られる同期確認情報に基づき、該１つのチャンネルに割り当てられた３種類の周波数の中からデジタル放送に使用されている放送周波数をサーチする単チャンネル選局サーチ手段を含み、
単チャンネル選局サーチ手段により希望チャンネルの放送周波数を求める。
【００１１】
第１の発明によれば、デジタル放送のための周波数として１つのチャンネルに対して３種類の周波数が用意されていることを考慮して選局動作が行われるため、すなわち希望チャンネルに割り当てられた３種類の周波数の中からデジタル放送に使用されている周波数がサーチされるため、希望チャンネルのデジタル放送を確実に受信することができる。
【００１６】
第２の発明は、デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機であって、
ユーザが受信を希望する希望チャンネルが該ユーザの所定操作によって指定されると、該希望チャンネルを示すチャンネル指定情報を出力する選局手段と、
所定のプリセットの指示を受け取り、該プリセットの指示に応答して、所定の複数のチャンネルのそれぞれを指定するチャンネル指定情報を１チャンネルずつ順次出力する全チャンネル走査手段と、
複数のチャンネルのそれぞれに対しデジタル放送用に割り当てられた正規の周波数、上側オフセットの周波数、および下側オフセットの周波数の３種類の周波数を予め記憶しているチャンネル初期データ記憶手段と、
複数のチャンネルの各チャンネルのデジタル放送に使用される周波数を各チャンネルと対応付けて保存するための書き換え自在の不揮発性記憶手段と、
１つのチャンネルに割り当てられた３種類の周波数のうちのいずれかの周波数での選局動作を指示する制御信号を受け取り、アンテナで受信されたデジタル地上波信号に対して該制御信号に基づき選択および復調動作を行い、該選局動作が正常に完了したか否かを示す情報である同期確認情報を生成するフロントエンド部と、
選局手段または全チャンネル走査手段から出力されるチャンネル指定情報に基づいて制御信号を生成し、生成された制御信号をフロントエンド部に供給することによりフロントエンド部を制御する制御手段と
を備え、
制御手段は、
全チャンネル走査手段がプリセットの指示を受け取ると、全チャンネル走査手段から順次出力されるチャンネル指定情報のそれぞれで指定されるチャンネルである指定チャンネルに割り当てられた３種類の周波数としてチャンネル初期データ記憶手段に記憶されている周波数に基づき制御信号を生成し、生成された制御信号をフロントエンド部に供給することによって得られる同期確認情報に基づき、指定チャンネルに割り当てられた３種類の周波数の中からデジタル放送に使用されている放送周波数をサーチし、該サーチによって得られる放送周波数を指定チャンネルと対応付けて不揮発性記憶手段に保存する全チャンネル選局サーチ手段を含み、
選局手段からチャンネル指定情報が出力されると、希望チャンネルに対応付けて不揮発性記憶手段に保存されている放送周波数を読み出し、該読み出された周波数での選局動作を指示する制御信号を生成してフロントエンド部に供給する。
【００１７】
第２の発明によれば、プリセットが指示されると、デジタル放送のための周波数として１つのチャンネルに対して３種類の周波数が予め用意されていることを考慮して全チャンネル選局サーチ手段により所定の複数のチャンネルの放送周波数がサーチされるため、その所定の複数のチャンネルの全てのチャンネルにつき放送周波数を確実にサーチすることができる。そして、プリセット後は、所定の複数のチャンネルでデジタル放送が行われている限り、その複数のチャンネルの放送周波数が不揮発性記憶手段に保存されていることになる。したがって、この複数のチャンネルをデジタル放送の受信可能な全てのチャンネルとすれば、プリセット後は、希望チャンネルの放送周波数を不揮発性記憶手段から読み出して直ちにフロントエンド部に選局動作を開始させ、希望チャンネルのデジタル放送を受信することができる。
【００２２】
第３の発明は、第２の発明において、
ユーザによって操作されることにより全チャンネル走査手段にプリセットの指示を与える全チャンネルサーチ指示手段を更に備える。
【００２３】
第３の発明によれば、今までに存在しなかった新規チャンネルでデジタル放送が開始された場合や、デジタル放送のチャンネル配置が変更された場合には、全チャンネルサーチ指示手段を操作すると、全チャンネル走査手段にプリセットの指示が与えられ、全チャンネル選局サーチ手段により、新規チャンネルでのデジタル放送の周波数やチャンネル配置変更後のデジタル放送の周波数が各チャンネルと対応付けて不揮発性記憶手段に保存される。これにより、新規チャンネルでデジタル放送が開始された場合や、デジタル放送のチャンネル配置が変更された場合であっても、それらのデジタル放送を受信できるようになる。
【００２４】
第４の発明は、第２の発明において、
全チャンネル走査手段にプリセットの指示を与える信号を予め決められた所定期間毎に出力するタイマー手段を更に備える。
【００２５】
第４の発明によれば、タイマー手段により、予め決められた期間毎に、全チャンネル走査手段にプリセットの指示を与える信号が出力されるため、新規チャンネルでデジタル放送が開始された場合や、デジタル放送のチャンネル配置が変更された場合であっても、遅くとも予め決められた期間が経過すれば、それらのデジタル放送を受信できるようになる。
【００２６】
第５の発明は、第２の発明において、
所定の通信路によって伝送される情報を受信し、受信された該情報がデジタル放送用の新規チャンネルの追加またはチャンネル配置の変更があったことを示している場合に全チャンネル走査手段にプリセットの指示を与える受信手段を更に備える。
【００２７】
第５の発明によれば、デジタル放送用の新規チャンネルの追加またはチャンネル配置の変更があったことを示す情報が受信手段により受信されると、全チャンネル走査手段にプリセットの指示が与えられるため、新規チャンネルでデジタル放送が開始された場合や、デジタル放送のチャンネル配置が変更された場合であっても、それらのデジタル放送を受信できるようになる。
【００３２】
第６の発明は、第１または第２の発明において、
デジタル地上波信号は、ＯＦＤＭ変調信号であり、
フロントエンド部は、
デジタル地上波信号を復調するＯＦＤＭ復調手段を含み、
ＯＦＤＭ復調手段がデジタル地上波信号を正しく復調したときに同期確認情報としてＯＦＤＭ同期信号を生成する、ことを特徴とする。
【００３３】
第７の発明は、第１または第２の発明において、
デジタル地上波信号は、ＯＦＤＭ変調信号であり、
フロントエンド部は、
デジタル地上波信号を復調するＯＦＤＭ復調手段と、
ＯＦＤＭ復調手段のシステムクロックを生成するための電圧制御発振手段とを含み、
同期確認情報は、電圧制御発振手段に供給される制御電圧を示す信号である、ことを特徴とする。
【００３４】
第８の発明は、第１または第２の発明において、
デジタル地上波信号は、ＯＦＤＭ変調信号であり、
フロントエンド部は、
デジタル地上波信号を復調するＯＦＤＭ復調手段と、
ＯＦＤＭ復調手段がデジタル地上波信号を復調することによって得られる信号に含まれる誤りを訂正する誤り訂正手段とを含み、
同期確認情報は、誤り訂正手段によって生成されるＢＥＲ測定情報である、ことを特徴とする。
【００３５】
第９の発明は、第１の発明において、
単チャンネル選局サーチ手段は、３種類の周波数の中で正規の周波数を優先してサーチすることを特徴とする。
【００３６】
第１０の発明は、第２の発明において、
全チャンネル選局サーチ手段は、３種類の周波数の中で正規の周波数を優先してサーチすることを特徴とする。
【００３８】
第９、または第１０の発明によれば、単チャンネル選局手段によるサーチおよび全チャンネル選局手段によるサーチの際に、１つのチャンネルに割り当てられた３種類の周波数のうち正規の周波数が優先してサーチされる。すなわち、フロントエンド部は、上側および下側オフセットの周波数よりも放送周波数として使用される可能性が高い正規の周波数での選局動作を最初に行う。したがって、第９、または第１０の発明によれば、希望チャンネルが指定されてから選局動作が完了するまでに要する時間やプリセットに要する時間が平均的に短くなる。
【００３９】
第１１の発明は、第１の発明において、
単チャンネル選局サーチ手段は、
１つのチャンネルに割り当てられた３種類の周波数のうちのいずれかの周波数である第１の周波数での選局動作を指示する制御信号をフロントエンド部に供給することによって得られる同期確認情報に基づき、該第１の周波数での選局動作が正常に完了したか否かを判定する第１同期確認手段と、
第１の周波数での選局動作が正常に完了しないと判定された場合に、１つのチャンネルに割り当てられた３種類の周波数のうち第１の周波数以外の第２の周波数での選局動作を指示する制御信号をフロントエンド部に供給することによって得られる同期確認情報に基づき、該第２の周波数での選局動作が正常に完了したか否かを判定する第２同期確認手段とを含み、
第１の周波数での選局動作が正常に完了したと判定された場合は第１の周波数を上記１つのチャンネルの放送周波数とみなし、第２の周波数での選局動作が正常に完了したと判定された場合は第２の周波数を上記１つのチャンネルの放送周波数とみなし、第１および第２の周波数のいずれの周波数での選局動作も正常に完了しないと判定された場合は、上記１つのチャンネルに割り当てられた３種類の周波数のうち第１および第２の周波数以外の第３の周波数を上記１つのチャンネルの放送周波数とみなす、ことを特徴とする。
【００４０】
第１２の発明は、第１の発明において、
単チャンネル選局サーチ手段は、
１つのチャンネルに割り当てられた３種類の周波数のうちのいずれかの周波数である第１の周波数での選局動作を指示する制御信号をフロントエンド部に供給することによって得られる同期確認情報に基づき、該第１の周波数での選局動作が正常に完了したか否かを判定する第１同期確認手段と、
第１の周波数での選局動作が正常に完了しないと判定された場合に、１つのチャンネルに割り当てられた３種類の周波数のうち第１の周波数以外の第２の周波数での選局動作を指示する制御信号をフロントエンド部に供給することによって得られる同期確認情報に基づき、該第２の周波数での選局動作が正常に完了したか否かを判定する第２同期確認手段と、
第１および第２の周波数のいずれの周波数での選局動作も正常に完了しないと判定された場合に、１つのチャンネルに割り当てられた３種類の周波数のうち第１および第２の周波数以外の第３の周波数での選局動作を指示する制御信号をフロントエンド部に供給することによって得られる同期確認情報に基づき、該第３の周波数での選局動作が正常に完了したか否かを判定する第３同期確認手段とを含み、
第１の周波数での選局動作が正常に完了したと判定された場合は第１の周波数を上記１つのチャンネルの放送周波数とみなし、第２の周波数での選局動作が正常に完了したと判定された場合は第２の周波数を上記１つのチャンネルの放送周波数とみなし、第３の周波数での選局動作が正常に完了したと判定された場合は第３の周波数を上記１つのチャンネルの放送周波数とみなす、ことを特徴とする。
【００４１】
第１３の発明は、第２の発明において、
全チャンネル選局サーチ手段は、
指定チャンネルに割り当てられた３種類の周波数のうちのいずれかの周波数である第１の周波数での選局動作を指示する制御信号をフロントエンド部に供給することによって得られる同期確認情報に基づき、該第１の周波数での選局動作が正常に完了したか否かを判定する第１同期確認手段と、
第１の周波数での選局動作が正常に完了しないと判定された場合に、指定チャンネルに割り当てられた３種類の周波数のうち第１の周波数以外の第２の周波数での選局動作を指示する制御信号をフロントエンド部に供給することによって得られる同期確認情報に基づき、該第２の周波数での選局動作が正常に完了したか否かを判定する第２同期確認手段と、
第１および第２の周波数のいずれの周波数での選局動作も正常に完了しないと判定された場合に、指定チャンネルに割り当てられた３種類の周波数のうち第１および第２の周波数以外の第３の周波数での選局動作を指示する制御信号をフロントエンド部に供給することによって得られる同期確認情報に基づき、該第３の周波数での選局動作が正常に完了したか否かを判定する第３同期確認手段とを含み、
第１の周波数での選局動作が正常に完了したと判定された場合は第１の周波数を指定チャンネルの放送周波数として不揮発性記憶手段に保存し、第２の周波数での選局動作が正常に完了したと判定された場合は第２の周波数を指定チャンネルの放送周波数として不揮発性記憶手段に保存し、第３の周波数での選局動作が正常に完了したと判定された場合は第３の周波数を指定チャンネルの放送周波数として不揮発性記憶手段に保存する、ことを特徴とする。
【００４２】
第１４の発明は、デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機のための受信チャンネル選局方法であって、
所定の複数のチャンネルのそれぞれに対しデジタル放送用に割り当てられた正規の周波数、上側オフセットの周波数、および下側オフセットの周波数の３種類の周波数を予め記憶するチャンネル初期データ記憶ステップと、
ユーザが受信を希望する希望チャンネルが該ユーザの所定操作によって指定されると、該希望チャンネルを示すチャンネル指定情報を出力するチャンネル指定ステップと、
希望チャンネルに割り当てられた３種類の周波数としてチャンネル初期データ記憶ステップで予め記憶されている周波数に基づき、３種類の周波数のいずれかの周波数での選局動作を指示する制御信号を生成する制御信号生成ステップと、
生成された制御信号に基づき、アンテナで受信されたデジタル地上波信号に対して選択および復調動作を行い、該選択および復調動作を含む選局動作が正常に完了したか否かを示す情報である同期確認情報を生成する同期確認情報生成ステップと、
同期確認情報に基づき、希望チャンネルに割り当てられた３種類の周波数の中からデジタル放送に使用されている放送周波数をサーチするサーチステップと、を備える。
【００４３】
第１５の発明は、デジタル変調されたデジタル地上波信号をアンテナで受信し、ユーザによって指定されたチャンネルのデジタル放送に相当するデジタル地上波信号を該アンテナで受信されたデジタル地上波信号の中から抽出して復調するデジタル地上波放送用受信機のための受信チャンネル選局方法であって、
所定の複数のチャンネルのそれぞれに対しデジタル放送用に割り当てられた正規の周波数、上側オフセットの周波数、および下側オフセットの周波数の３種類の周波数を予め記憶するチャンネル初期データ記憶ステップと、
所定のプリセットの指示を受け取り、該プリセットの指示に応答して、所定の複数のチャンネルのそれぞれを指定するチャンネル指定情報を１チャンネルずつ順次出力する全チャンネル走査ステップと、
プリセットの指示を受け取ると、順次出力されるチャンネル指定情報のそれぞれで指定されるチャンネルである指定チャンネルに割り当てられた３種類の周波数として予め記憶された周波数に基づき、その３種類の周波数のいずれかの周波数での選局動作を指示する制御信号を生成する第１制御信号生成ステップと、
第１制御信号生成ステップで生成された制御信号に基づき、アンテナで受信されたデジタル地上波信号に対して選択および復調動作を行い、該選択および復調動作を含む選局動作が正常に完了したか否かを示す情報である同期確認情報を生成する同期確認情報生成ステップと、
同期確認情報に基づき、指定チャンネルに割り当てられた３種類の周波数の中からデジタル放送に使用されている放送周波数をサーチするサーチステップと、
サーチステップで得られる放送周波数を指定チャンネルと対応付けて所定の不揮発性記憶手段に保存する保存ステップと、
ユーザが受信を希望する希望チャンネルが該ユーザの所定操作によって指定されると、該希望チャンネルを示すチャンネル指定情報を出力するチャンネル指定ステップと、
チャンネル指定ステップでチャンネル指定情報が出力されると、希望チャンネルに対応付けて不揮発性記憶手段に保存されている放送周波数を読み出す読出ステップと、
不揮発性記憶手段から読み出された周波数での選局動作を指示する制御信号を生成する第２制御信号生成ステップと、
第２制御信号生成ステップで生成された制御信号に基づき、アンテナで受信されたデジタル地上波信号に対して選択および復調動作を行う選局動作ステップと、
を備える。
【００４４】
【発明の実施の形態】
以下、添付図面を参照しつつ本発明の各実施形態について説明する。
＜１．第１の実施形態＞
＜１.１  第１の実施形態の構成＞
図１は、本発明の第１の実施形態に係るデジタル地上波放送用受信機１００の構成を示すブロック図である。このデジタル地上波放送用受信機１００は、地上波放送用アンテナ１１と、フロントエンド部１３と、ＭＰＥＧデコード部１４と、制御用マイコン１５と、選局部１６と、チャンネル初期データ記憶部１７とを備えている。このうち、制御用マイコン１５は、デジタル地上波放送用受信機１００における各部を制御するものであって、その内部のメモリに格納される所定のプログラムを実行することにより後述の動作を行う（他の実施形態においても同様）。すなわち、後述の選局動作等の主要部を構成する制御用マイコン１５の動作はソフトウェアによって実現されている。
【００４５】
地上波放送用アンテナ１１は、放送局から送信されたデジタル地上波信号であるＯＦＤＭ（Orthogonal Freqency Division Multiplex）変調信号を受信する。受信されたＯＦＤＭ信号はフロントエンド部１３に入力される。一方、選局部１６は、ユーザの操作に基づき、ユーザの希望するチャンネルを指定する信号（以下「チャンネル指定信号」という）Ｓchを出力する。このチャンネル指定信号Ｓchは制御用マイコン１５に入力される。チャンネル初期データ記憶部１７には、選局部１６によって指定可能な全てのチャンネルのそれぞれにつき、正規の周波数、上側オフセットの周波数および下側オフセットの周波数の３種類の周波数を示すデータが、初期データとして予め記憶されている。制御用マイコン１５は、チャンネル指定信号Ｓchに基づき、ユーザの希望するチャンネル（単に「希望チャンネル」ともいう）の正規の周波数、上側オフセットの周波数、下側オフセットの周波数を示すデータのうち少なくとも一つのデータ（以下「希望チャンネル周波数データ」という）をチャンネル初期データ記憶部１７から読み出す。そして制御用マイコン１５は、この希望チャンネル周波数データとフロントエンド部１３から入力される後述の同期確認のための信号とに基づき、フロントエンド部１３を制御する。フロントエンド部１３は、制御用マイコン１５による制御の下に、地上波放送用アンテナ１１から入力されたＯＦＤＭ変調信号をデジタル復調し伝送路で生じた誤りを訂正する（以下、この動作を「フロントエンド部１３の選局動作」と呼ぶものとする。その詳細は後述する。）。これにより、ユーザの希望するチャンネルのトランスポートストリーム信号が得られ、このトランスポートストリーム信号はＭＰＥＧデコード部１４に入力される。このトランスポートストリーム信号は、ＭＰＥＧ方式により符号化された画像データである。ＭＰＥＧデコード部１４は、このトランスポートストリーム信号から、復号化された画像データ（ＭＰＥＧ画像のデータ）を生成し、外部へ出力する。
【００４６】
＜１.２  フロントエンド部の構成およびその選局動作＞
図２は、フロントエンド部１３の第１の構成例を示すブロック図である。この構成例のフロントエンド部１３は、ＡＧＣ回路３１と、選局フィルタ３２と、ミキサ３３と、ＰＬＬ同期回路３４と、ＩＦ＋ＳＡＷフィルタ３６と、ＡＧＣ制御部３７と、ＡＤコンバータ３８と、発振器３５と、ＶＣＸＯ制御部３１１と、ＯＦＤＭ復調部３９と、誤り訂正部３１０とを含んでいる。
【００４７】
上記構成のフロントエンド部１３は、制御用マイコン１５から希望チャンネル周波数データに基づく制御信号Ｓc1およびＳc2の供給を受ける。制御信号Ｓc2により、ＰＬＬ同期回路３４が動作し、選局動作が開始される。地上波放送用アンテナ１１からフロントエンド部１３に入力されたＯＦＤＭ変調信号は、まずＡＧＣ回路３１によって、後段のデジタル復調システムに適した電力量に制御される。すなわち、後述のＩＦ＋ＳＡＷフィルタの出力に基づきＡＧＣ制御部３７が制御信号を生成し、その制御信号に基づきＡＧＣ回路３１がその利得を制御することにより、ＯＦＤＭ変調信号が後段のデジタル復調システムに適した電力量に制御される。その後、このＯＦＤＭ信号は、選局フィルタ３２に入力される。
【００４８】
選局フィルタ３２は、制御用マイコン１５からの制御信号Ｓc1に基づき、希望チャンネル周波数データに対応する帯域の信号のみを通過させるバンドパスフィルタとして機能する。したがって、この選局フィルタ３２によって、上記のＯＦＤＭ変調信号から希望チャンネル周波数データによって示される周波数（以下「選局周波数」という）の信号（以下「希望信号」という）が抜き取られる。その抜き取られた希望信号は、ＰＬＬ同期回路３４で生成される選局周波数の発振信号とミキシングされることにより、ＩＦ信号（中間周波数信号）の帯域にダウンコンバートされる。そのダウンコンバートされた希望信号は、ＩＦ＋ＳＡＷフィルタ３６を通過することにより波形整形され、ＡＤコンバータ３８でアナログ信号からデジタル信号へと変換され、後段のＯＦＤＭ復調部３９に入力される。
【００４９】
ＯＦＤＭ復調部３９は、発振器３５から供給されるシステムクロックＳckに基づいて動作する。この発振器３５は、水晶振動子を用いた電圧制御発振器（ＶＣＸＯ：Voltage Controlled Crystal Oscillator ）であり、その制御電圧Ｖｃは、ＯＦＤＭ復調部３９からの信号に基づきＶＣＸＯ制御部３１１により生成される。希望チャンネルが正しく選局された場合は、ＯＦＤＭ復調部３９のシステムクロックＳckを生成しているＶＣＸＯ制御部３１１および発振器３５が正常に動作し、ＯＦＤＭ復調部３９で正しくデジタル復調がなされ、伝送路で生じた誤りは誤り訂正部３１０によって訂正される。この訂正後の信号は希望チャンネルのトランスポートストリーム信号としてＭＰＥＧデコード部１４に送られる。
【００５０】
上記のようにフロントエンド部１３が正常に動作している場合、ＯＦＤＭ同期信号ＳsyncがＯＦＤＭ復調部３９より出力される。このＯＦＤＭ同期信号Ｓsyncは、同期確認のための情報として制御用マイコン１５に送られる。制御用マイコン１５は、このＯＦＤＭ同期信号Ｓsyncを受け取ると、同期が確認された、すなわちフロントエンド部１３が正常に選局動作を完了したと、判定する。一方、希望チャンネルを正しく選局できなかった場合は、ＯＦＤＭ同期信号Ｓsyncは制御用マイコン１５には送られず、制御用マイコン１５は、同期が確認されない、すなわちフロントエンド部１３において選局動作が完了していない、と判定する。
【００５１】
図３は、フロントエンド部１３の第２の構成例を示すブロック図である。この構成例のフロントエンド部１３は、ＯＦＤＭ復調部３９にシステムクロックＳckを供給する発振器３５の制御電圧Ｖｃを示す信号（以下「制御電圧信号」という）Ｓvcを同期確認のための情報として制御用マイコン１５に送る。この点で第２の構成例は、ＯＦＤＭ同期信号Ｓsyncを同期確認のための情報として制御用マイコン１５に送る第１の構成例と相違する。それ以外の部分は第１の構成例と同様であるので、同一の構成要素には同一の参照符号を付してその説明を省略する。
【００５２】
第２の構成例のフロントエンド部１３は、制御用マイコン１５から供給される制御信号Ｓc1およびＳc2（すなわち希望チャンネル周波数に対応する情報）に基づき希望チャンネルが正しく選局された場合は、ＯＦＤＭ復調部３９のシステムクロックＳckを生成するためのＶＣＸＯ制御部３１１が適正な範囲で動作し、発振器３５の制御電圧Ｖｃが変動しない。そこで、この構成例では、前述のように、この制御電圧Ｖｃを示す制御電圧信号Ｓvcが同期確認のための情報として制御用マイコン１５に送られる。制御用マイコン１５は、この制御電圧信号Ｓvcに基づき、制御電圧Ｖｃが変動しないか否かを調べ（具体的には、制御電圧Ｖｃの変動が所定期間、所定の範囲内であれば変動しないとみなす）、制御電圧Ｖｃが変動しなければ、同期が確認された、すなわちフロントエンド部１３が正常に選局動作を完了した、と判定する。一方、制御電圧Ｖｃが変動するときには、制御用マイコン１５は、同期が確認されない、すなわちフロントエンド部１３が選局動作を完了していない、と判定する。
【００５３】
図４は、フロントエンド部１３の第３の構成例を示すブロック図である。この構成例のフロントエンド部１３は、誤り訂正部３１０によって得られるＢＥＲ（Bit Error Rate）測定情報ＤBER を示す信号を同期確認のための情報として制御用マイコン１５に送る。この点で第３の構成例は、ＯＦＤＭ同期信号Ｓsyncを同期確認のための情報として制御用マイコン１５に送る第１の構成例と相違する。それ以外の部分は第１の構成例と同様であるので、同一の構成要素には同一の参照符号を付してその説明を省略する。
【００５４】
第３の構成例のフロントエンド部１３は、制御用マイコン１５から供給される制御信号Ｓc1およびＳc2（すなわち希望チャンネル周波数に対応する情報）に基づき希望チャンネルが正しく選局された場合は、誤り訂正部３１０によって測定される符号誤り率（ＢＥＲ：Bit Error Rate）が“０”となる。そこで、この構成例では、前述のように、ＢＥＲ測定情報ＤBER を示す信号が同期確認のための情報として制御用マイコン１５に送られる。制御用マイコン１５は、このＢＥＲ測定情報ＤBER に基づき、ＢＥＲ＝０の場合には、同期が確認された、すなわちフロントエンド部１３が正常に選局動作を完了した、と判定し、一方、ＢＥＲ≠０の場合には、同期が確認されない、すなわちフロントエンド部１３が選局動作を完了していない、と判定する。
【００５５】
なお、第３の構成例において、ＢＥＲの値は誤り訂正部３１０内に設けられた所定のレジスタに格納されている。また、既述のように、選局動作を構成する制御用マイコン１５の動作はソフトウェアにより実現される。したがって、第３の構成例は、所定のレジスタを参照することにより同期を確認できるという点で、ソフトウェアによって主要部が実現される選局動作と相性が良いと言える。
【００５６】
＜１.３  第１の実施形態における選局動作＞
次に、図５を参照しつつ第１の実施形態に係るデジタル地上波放送用受信機の選局動作を説明する。なお、前述のようにフロントエンド部１３の構成によって同期確認の手段が異なるが、前述の第１ないし第３の構成例のいずれを採用しても以下に説明する選局動作は基本的に同じである（この点は他の実施形態における選局動作についても同様）。
【００５７】
ユーザが選局部１６に対する操作によって受信を希望するチャンネル（希望チャンネル）を選択すると、希望チャンネルの指定情報としてチャンネル指定信号Ｓchが選局部１６から制御用マイコン１５に入力される（ステップＳ１００）。制御用マイコン１５は、チャンネル指定信号Ｓchが入力されると、次のように動作する。まず、そのチャンネル指定信号Ｓchが示す希望チャンネルの正規の周波数Ｆｎをチャンネル初期データ記憶部１７から読み出す（ステップＳ１０２）。次に、この正規の周波数Ｆｎに基づく制御信号Ｓc1、Ｓc2を生成し、これらの制御信号Ｓc1、Ｓc2をフロントエンド部１３に供給することにより、その正規の周波数Ｆｎでフロントエンド部１３に選局動作を行わせる（ステップＳ１０４）。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを既述のようにして判定する（ステップＳ１０６）。この判定の結果、同期が確認された場合は、選局動作が終了する。
【００５８】
ステップＳ１０６において同期が確認されないと判定された場合は、制御用マイコン１５は、次のように動作する。まず、上記の希望チャンネルの上側オフセットの周波数Ｆｕをチャンネル初期データ記憶部１７から読み出す（ステップＳ１０８）。次に、この上側オフセットの周波数Ｆｕに基づく制御信号Ｓc1、Ｓc2を生成し、これらの制御信号Ｓc1、Ｓc2をフロントエンド部１３に供給することにより、その上側オフセットの周波数Ｆｕでフロントエンド部１３に選局動作を行わせる（ステップＳ１１０）。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを判定する（ステップＳ１１２）。この判定の結果、同期が確認された場合は、選局動作が終了する。
【００５９】
ステップＳ１１２において同期が確認されないと判定された場合は、制御用マイコン１５は、次のように動作する。まず、上記の希望チャンネルの下側オフセットの周波数Ｆｄをチャンネル初期データ記憶部１７から読み出す（ステップＳ１１４）。次に、この下側オフセットの周波数Ｆｄに基づく制御信号Ｓc1、Ｓc2を生成し、これらの制御信号Ｓc1、Ｓc2をフロントエンド部１３に供給することにより、その下側オフセットの周波数Ｆｄでフロントエンド部１３に選局動作を行わせる（ステップＳ１１６）。上記の希望チャンネルでデジタル放送が行われていれば、ここでは正常に選局動作が完了することになる。その結果、上記の希望チャンネルのトランスポートストリーム信号がフロントエンド部１３から出力され、ＭＰＥＧデコード部１４により復号化される。
【００６０】
また、上記のステップＳ１０６、Ｓ１１２のいずれかにおいて同期が確認された場合にも、上記の希望チャンネルのトランスポートストリーム信号がフロントエンド部１３から出力され、ＭＰＥＧデコード部１４により復号化される。
【００６１】
なお、図５に示した上記の選局動作では、希望チャンネルが選択されると、まず、その希望チャンネルの正規の周波数で選局動作が行われ、その結果、同期が確認されないときには、その希望チャンネルの上側オフセットの周波数で選局動作が行われ、その結果、なお同期が確認されないときには、その希望チャンネルの下側オフセットの周波数で選局動作が行われる。すなわち上記の選局動作では、希望チャンネルの放送周波数のサーチにおける優先順位が正規の周波数→上側オフセットの周波数→下側オフセットの周波数の順となっている。しかし、本発明はこの優先順位に限定されるものではなく、優先順位を正規の周波数→下側オフセットの周波数→上側オフセットの周波数という順にしてもよく、また、これら以外の優先順位で放送周波数をサーチするようにしてもよい。ただし、希望チャンネルの隣接チャンネルでアナログ放送が行われていない場合には、通常、その希望チャンネルについては正規の周波数でデジタル放送が行われることから、一般に、上側および下側オフセットの周波数よりも正規の周波数が使用される可能性が高いと考えられる。したがって、希望チャンネルに割り当てられた３種類の周波数のうち正規の周波数の優先順位を最も高くすることが好ましい。すなわち、希望チャンネルの放送周波数のサーチの際には、最初に正規の周波数での選局動作を行うのが好ましい。これにより選局動作に要する時間が平均的に短くなる。
【００６２】
＜１.４  第１の実施形態の効果＞
以上説明したように第１の実施形態によれば、デジタル放送のための周波数として１つのチャンネルに対して３種類の周波数が予め用意されていることを考慮して選局動作が行われるため（図５参照）、希望チャンネルのデジタル放送を確実に受信することができる。すなわち、希望チャンネルのデジタル放送の周波数として、その希望チャンネルの正規の周波数ではなく上側オフセットの周波数または下側オフセットの周波数が使用されている場合であっても、そのデジタル放送を確実に受信することができる。
【００６３】
＜２．第２の実施形態＞
＜２.１  第２の実施形態の構成＞
図６は、本発明の第２の実施形態に係るデジタル地上波放送用受信機２００の構成を示すブロック図である。このデジタル地上波放送用受信機２００は、チャンネルデータ不揮発性記憶部１８を備えており、この点で図１に示した第１の実施形態に係るデジタル地上波放送用受信機１００と相違する。チャンネルデータ不揮発性記憶部１８は、不揮発性のメモリによって実現されており、希望チャンネルのデジタル放送の周波数をサーチした結果得られる周波数を保存するために使用される。このチャンネルデータ不揮発性記憶部１８以外の部分についての本実施形態の構成は第１の実施形態と同様であるので、同一の構成要素には同一の参照符号を付してその説明を省略する。
【００６４】
＜２.２  第２の実施形態における選局動作＞
以下、図７および図８を参照しつつ、第２の実施形態に係るデジタル地上波放送用受信機の選局動作を説明する。
【００６５】
ユーザが選局部１６に対する操作によって受信を希望するチャンネル（希望チャンネル）を選択すると、希望チャンネルの指定情報としてチャンネル指定信号Ｓchが選局部１６から制御用マイコン１５に入力される（ステップＳ２００）。制御用マイコン１５は、チャンネル指定信号Ｓchが入力されると、以下のように動作する。
【００６６】
まず、そのチャンネル指定信号Ｓchが示す希望チャンネルのデジタル放送の周波数（放送周波数）Ｆｂがチャンネルデータ不揮発性記憶部１８に保存されているか否かを調べる（ステップＳ２０２）。その結果、希望チャンネルの放送周波数が保存されていると判定された場合には、ステップＳ２０６へ進む。一方、希望チャンネルの放送周波数Ｆｂが保存されていないと判定された場合には、図８にその手順が示されている単チャンネル選局サーチ（詳細は後述）を実行することにより、希望チャンネルの放送周波数を求める（ステップＳ２０４）。ここで単チャンネル選局サーチが実行されるのは、例えば、デジタル地上波放送用受信機においてその希望チャンネルにつき単チャンネル選局サーチが１度も行われていない状態のときである。後述のように、単チャンネル選局サーチが実行された後には、希望チャンネルでデジタル放送が行われている限り、その希望チャンネルの放送周波数すなわちサーチ結果がチャンネルデータ不揮発性記憶部１８に保存されている。
【００６７】
ステップＳ２０６では、希望チャンネルの放送周波数としてチャンネルデータ不揮発性記憶部１８に保存されている周波数Ｆｂに基づく制御信号Ｓc1、Ｓc2を生成し、これらの制御信号Ｓc1、Ｓc2をフロントエンド部１３に供給することにより、その放送周波数Ｆｂでフロントエンド部１３に選局動作を行わせる。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを判定する（ステップＳ２０８）。この判定の結果、同期が確認された場合は、選局動作が正常に終了する。
【００６８】
ステップＳ２０８において同期が確認されないと判定された場合は、ステップＳ２１０へ進む。ここで同期が確認されないと判定されるのは、以前に実行された単チャンネル選局サーチによりその希望チャンネルの放送周波数がチャンネルデータ不揮発性記憶部１８に保存された後、その希望チャンネルの放送周波数が変更された場合、例えば正規の周波数から上側オフセットの周波数に変更された場合などである。
【００６９】
ステップＳ２１０では、図８に示した単チャンネル選局サーチを実行することにより、希望チャンネルの放送周波数を求める（ステップＳ２１０）。その後、そのサーチ結果の周波数としてチャンネルデータ不揮発性記憶部１８に保存されている放送周波数Ｆｂ２に基づく制御信号Ｓc1、Ｓc2を生成し、これらの制御信号Ｓc1、Ｓc2をフロントエンド部１３に供給することにより、その放送周波数Ｆｂ２でフロントエンド部１３に選局動作を行わせる（ステップＳ２１２）。その後、選局動作を終了する。
【００７０】
次に、図８を参照しつつ、上記のステップＳ２０４およびＳ２１２で実行される単チャンネル選局サーチの手順を説明する。
単チャンネル選局サーチでは、まず、希望チャンネルの正規の周波数Ｆｎをチャンネル初期データ記憶部１７から読み出す（ステップＳ１２）。次に、この正規の周波数Ｆｎに基づく制御信号Ｓc1、Ｓc2を生成し、これらの制御信号Ｓc1、Ｓc2をフロントエンド部１３に供給することにより、その正規の周波数Ｆｎでフロントエンド部１３に選局動作を行わせる（ステップＳ１４）。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを判定する（ステップＳ１６）。この判定の結果、同期が確認された場合は、同期の確認された周波数すなわちその正規の周波数Ｆｎを、希望チャンネルの放送周波数としてチャンネルデータ不揮発性記憶部１８に保存し（ステップＳ３０）、単チャンネル選局サーチを終了する。
【００７１】
ステップＳ１６において同期が確認されないと判定された場合は、希望チャンネルの上側オフセットの周波数Ｆｕをチャンネル初期データ記憶部１７から読み出す（ステップＳ１８）。次に、この上側オフセットの周波数Ｆｕに基づく制御信号Ｓc1、Ｓc2を生成し、これらの制御信号Ｓc1、Ｓc2をフロントエンド部１３に供給することにより、その上側オフセットの周波数Ｆｕでフロントエンド部１３に選局動作を行わせる（ステップＳ２０）。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを判定する（ステップＳ２２）。この判定の結果、同期が確認された場合は、同期の確認された周波数すなわちその上側オフセットの周波数Ｆｕを、希望チャンネルの放送周波数としてチャンネルデータ不揮発性記憶部１８に保存し（ステップＳ３０）、単チャンネル選局サーチを終了する。
【００７２】
ステップＳ２２において同期が確認されないと判定された場合は、希望チャンネルの下側オフセットの周波数Ｆｄをチャンネル初期データ記憶部１７から読み出す（ステップＳ２４）。次に、この下側オフセットの周波数Ｆｄに基づく制御信号Ｓc1、Ｓc2を生成し、これらの制御信号Ｓc1、Ｓc2をフロントエンド部１３に供給することにより、その下側オフセットの周波数Ｆｄでフロントエンド部１３に選局動作を行わせる（ステップＳ２６）。その後、同期確認のための情報をフロントエンド部１３から受け取り、この情報から同期が確認されたか否かを判定する（ステップＳ２８）。この判定の結果、同期が確認された場合は、同期の確認された周波数すなわちその下側オフセットの周波数Ｆｄを、希望チャンネルの放送周波数としてチャンネルデータ不揮発性記憶部１８に保存し（ステップＳ３０）、単チャンネル選局サーチを終了する。一方、この判定の結果、同期が確認されない場合は、ユーザの指定した希望チャンネルではデジタル放送が行われていないことになる。この場合、その下側オフセットの周波数をチャンネルデータ不揮発性記憶部１８に保存することなく、単チャンネル選局サーチを終了する。
【００７３】
上記のようにして、単チャンネル選局サーチが実行された後は、希望チャンネルでデジタル放送が行われている限り、その希望チャンネルの放送周波数がチャンネルデータ不揮発性記憶部１８に保存されることになる。
【００７４】
＜２.３  第２の実施形態の効果＞
以上説明したように第２の実施形態によれば、希望チャンネルの放送周波数のサーチ（単チャンネル選局サーチ）が行われると、そのチャンネルに割り当てられた３種類の周波数のうち実際にデジタル放送に使用されている周波数、即ちそのチャンネルの放送周波数がチャンネルデータ不揮発性記憶部１８に保存される（図８のステップＳ３０）。したがって、その後に、そのチャンネルが再びユーザによって希望チャンネルとして指定されたときには、その希望チャンネルの放送周波数として保存されている周波数で直ちにフロントエンド部１３に選局動作を開始させることができる（図７のステップＳ２０２、Ｓ２０６）。このため、第１の実施形態の場合よりも、希望チャンネルの指定から選局動作の完了までに要する時間を短くすることができ、かつ、第１の実施形態と同様、各チャンネルに割り当てられている３種類の周波数を考慮して希望チャンネルのデジタル放送を確実に受信することができる。
【００７５】
また、第２の実施形態によれば、希望チャンネルの放送周波数として保存されている周波数で選局動作が行われた結果、同期が確認されない場合には、単チャンネル選局サーチによって希望チャンネルの放送周波数がサーチされ（図７のステップＳ２１０、図８）、そのサーチで求まった放送周波数で選局動作が行われる（図７のステップＳ２１２）。このため、或るチャンネルのデジタル放送の周波数が変更されたことにより（例えば正規の周波数から上側オフセットの周波数へと変更されたことにより）チャンネルデータ不揮発性記憶部１８に保存されている放送周波数が実際の放送周波数と異なるようになった場合であっても、その保存されている放送周波数が更新され、そのチャンネルのデジタル放送を受信することができる。
【００７６】
＜３．第３の実施形態＞
＜３.１  第３の実施形態の構成＞
図９は、本発明の第３の実施形態に係るデジタル地上波放送用受信機３００の構成を示すブロック図である。このデジタル地上波放送用受信機３００は、全チャンネルサーチ部２１を備えており、この点で図６に示した第２の実施形態に係るデジタル地上波放送用受信機２００と相違する。全チャンネルサーチ部２１以外の部分についての第３の実施形態の構成は第２の実施形態と同様であるので、同一の構成要素には同一の参照符号を付してその詳しい説明を省略する。
【００７７】
第３の実施形態では、典型的にはデジタル地上波放送用受信機を設置したときに、受信可能なデジタル放送の全てのチャンネルの放送周波数をサーチして、そのサーチ結果を保存するという動作（「プリセット」と呼ばれる）が行われる。全チャンネルサーチ部２１は、このプリセットを行うときに、デジタル放送が行われ得る全てのチャンネルの情報を１チャンネルずつ順番に選局部１６に供給する。選局部１６は、全チャンネルサーチ部２１から１つのチャンネルについての情報を受け取る毎に、そのチャンネルを指定するチャンネル指定信号Ｓchを出力する。このチャンネル指定信号Ｓchは制御用マイコン１５に入力される。このようにして、プリセットのときには、デジタル放送が行われ得る全てのチャンネルに対するチャンネル指定信号Ｓchが１チャンネルずつ順番に制御用マイコン１５に入力され、制御用マイコン１５は、それらのチャンネル指定信号Ｓchに基づき、後述の手順でプリセットを行う。
【００７８】
＜３.２  第３の実施形態におけるプリセットの動作および効果＞
以下、図１１を参照して、第３の実施形態に係るデジタル地上波放送用受信機におけるプリセットについて説明する。
【００７９】
第３の実施形態では、図１１にその手順が示されている全チャンネル選局サーチを実行するにより、プリセットが行われる。この全チャンネル選局サーチは、例えば特定のボタン（図示せず）が押下されることにより実行される。なお、以下では、デジタル放送が行われ得るチャンネルは１ｃｈ〜６１ｃｈであるものとする。
【００８０】
この全チャンネル選局サーチでは、まず、選局部１６が、全チャンネルサーチ部から供給される情報に基づき、１ｃｈ〜６１ｃｈのうち選局動作が行われていないチャンネルすなわち未サーチの１つのチャンネルを指定するチャンネル指定信号Ｓchを出力する（ステップＳ５０）。なお、この全チャンネル選局サーチの開始直後の時点では、１ｃｈ〜６１ｃｈの全てが未サーチであるので、小さい番号のチャンネルから順番にサーチされるものとすると、最初は、１ｃｈを指定するチャンネル指定信号Ｓchが出力される。以下、ステップＳ５０において出力されるチャンネル指定信号Ｓchによって指定されるチャンネルを「指定チャンネル」と呼ぶものとする。
【００８１】
ステップＳ５０において出力されたチャンネル指定信号Ｓchは制御用マイコン１５に入力され、制御用マイコン１５は、このチャンネル指定信号Ｓchに基づき下記のように動作する。
【００８２】
まず、指定チャンネルの正規の周波数Ｆｎをチャンネル初期データ記憶部１７から読み出す（ステップＳ５２）。次に、この正規の周波数Ｆｎに基づく制御信号Ｓc1、Ｓc2を生成し、これらの制御信号Ｓc1、Ｓc2をフロントエンド部１３に供給することにより、その正規の周波数Ｆｎでフロントエンド部１３に選局動作を行わせる（ステップＳ５４）。その後、同期確認のための情報（ＯＦＤＭ同期信号Ｓsync、制御電圧信号Ｓvc、またはＢＥＲ測定情報ＤBER を示す信号）をフロントエンド部１３から受け取り、この情報から同期が確認されたか否かを判定する（ステップＳ５６）。この判定の結果、同期が確認された場合は、同期の確認された周波数すなわちその正規の周波数Ｆｎを、指定チャンネルの放送周波数としてチャンネルデータ不揮発性記憶部１８に保存し（ステップＳ７０）、ステップＳ７２へ進む。
【００８３】
ステップＳ５６において同期が確認されないと判定された場合は、指定チャンネルの上側オフセットの周波数Ｆｕをチャンネル初期データ記憶部１７から読み出す（ステップＳ５８）。次に、この上側オフセットの周波数Ｆｕに基づく制御信号Ｓc1、Ｓc2を生成し、これらの制御信号Ｓc1、Ｓc2をフロントエンド部１３に供給することにより、その上側オフセットの周波数Ｆｕでフロントエンド部１３に選局動作を行わせる（ステップＳ６０）。その後、同期確認のための情報をフロントエンド部１３から受け取り、この情報から同期が確認されたか否かを判定する（ステップＳ６２）。この判定の結果、同期が確認された場合は、同期の確認された周波数すなわちその上側オフセットの周波数Ｆｕを、指定チャンネルの放送周波数としてチャンネルデータ不揮発性記憶部１８に保存し（ステップＳ７０）、ステップＳ７２へ進む。
【００８４】
ステップＳ６２において同期が確認されないと判定された場合は、指定チャンネルの下側オフセットの周波数Ｆｄをチャンネル初期データ記憶部１７から読み出す（ステップＳ６４）。次に、この下側オフセットの周波数Ｆｄに基づく制御信号Ｓc1、Ｓc2を生成し、これらの制御信号Ｓc1、Ｓc2をフロントエンド部１３に供給することにより、その下側オフセットの周波数Ｆｄでフロントエンド部１３に選局動作を行わせる（ステップＳ６６）。その後、同期確認のための情報をフロントエンド部１３から受け取り、この情報から同期が確認されたか否かを判定する（ステップＳ６８）。この判定の結果、同期が確認された場合は、同期の確認された周波数すなわちその下側オフセットの周波数Ｆｄを、指定チャンネルの放送周波数としてチャンネルデータ不揮発性記憶部１８に保存し（ステップＳ７０）、ステップＳ７２へ進む。一方、この判定の結果、同期が確認されない場合は、その指定チャンネルではデジタル放送が行われていないことになる。この場合、その下側オフセットの周波数をチャンネルデータ不揮発性記憶部１８に保存することなく、ステップＳ７２へ進む。
【００８５】
ステップＳ７２では、１ｃｈ〜６１ｃｈの全てのチャンネルがサーチされたか否かを判定する。ここで、「チャンネルがサーチされる」とは、上記の処理（ステップＳ５０〜Ｓ７０）によりそのチャンネルで放送されているデジタル放送の周波数（放送周波数）がサーチされることを意味するものとする。ステップＳ７２での判定の結果、未サーチのチャンネルが存在する場合には、ステップＳ５０へ戻る。以降、１ｃｈ〜６１ｃｈが全てサーチされるまでステップＳ５０〜Ｓ７２の処理を繰り返し実行し、１ｃｈ〜６１ｃｈが全てサーチされると、全チャンネル選局サーチが終了する。
【００８６】
上記のようなプリセット動作によれば、デジタル放送のための周波数として１つのチャンネルに対して３種類の周波数が予め用意されていることを考慮して全チャンネル選局サーチが行われるため、１ｃｈ〜６１ｃｈの全てのチャンネルにつき放送周波数を確実にサーチすることができる。そして、プリセット後は、上記全チャンネル選局サーチにおいて指定されたチャンネルでデジタル放送が行われている限り、その指定チャンネルの放送周波数がチャンネルデータ不揮発性記憶部１８に保存されていることになる。
【００８７】
＜３.３  第３の実施形態における選局動作とその効果＞
次に、ユーザによって指定された希望チャンネルの選局動作について説明する。なお、この選局動作が行われる以前に、上記の全チャンネル選局サーチによるプリセットが行われているものとする。
【００８８】
図１０は、第３の実施形態における選局動作の一例（以下「第１の動作例」という）を示すフローチャートである。第１の動作例では、まず、ユーザが選局部１６に対する操作によって受信を希望するチャンネル（希望チャンネル）を選択すると、希望チャンネルの指定情報としてチャンネル指定信号Ｓchが選局部１６から制御用マイコン１５に入力される（ステップＳ３００）。制御用マイコン１５は、チャンネル指定信号Ｓchが入力されると、そのチャンネル指定信号Ｓchが示す希望チャンネルのデジタル放送の周波数（放送周波数）Ｆｂをチャンネルデータ不揮発性記憶部１８から読み出す（ステップＳ３０２）。次に、制御用マイコン１５は、この読み出された放送周波数Ｆｂに基づく制御信号Ｓc1、Ｓc2を生成し、これらの制御信号Ｓc1、Ｓc2をフロントエンド部１３に供給することにより、その放送周波数Ｆｂでフロントエンド部１３に選局動作を行わせる（ステップＳ３０４）。ユーザによって指定された希望チャンネルにおいてデジタル放送が行われていれば、この選局動作により、フロントエンド部１３からその希望チャンネルのトランスポートストリーム信号が出力され、トランスポートストリーム信号はＭＰＥＧデコード部１４によって復号化され、復号化後の画像データがデジタル地上波放送用受信機から外部へ出力される。
【００８９】
上記第１の動作例では、プリセットの時点においてデジタル放送が行われていなかったチャンネルで新規にデジタル放送が開始された場合や、或るチャンネルのデジタル放送の周波数が変更された場合（例えば正規の周波数から下側オフセットの周波数に変更された場合など）には、それらのチャンネルのデジタル放送を正しく受信することができない。この場合には、第２の実施形態における選局動作と同様の選局動作、すなわち図７に示した手順による選局動作（以下「第２の動作例」という）を行えばよい。この第２の動作例によれば、希望チャンネルの放送周波数が保存されていない場合には、単チャンネル選局サーチによって希望チャンネルの放送周波数がサーチされるため（図７のステップＳ２０２、図８）、プリセットの時点でデジタル放送が行われていなかったチャンネルで新規にデジタル放送が開始された場合であっても、その新規に開始されたデジタル放送を受信することができる。また第２の動作例によれば、希望チャンネルの放送周波数として保存されている周波数で選局動作が行われた結果、同期が確認されない場合には、単チャンネル選局サーチによって希望チャンネルの放送周波数がサーチされるため（図７のステップＳ２１０、図８）、プリセット後に或るチャンネルのデジタル放送の周波数が変更された場合であっても、そのチャンネルのデジタル放送を受信することができる。
【００９０】
＜４．第４の実施形態＞
＜４.１  第４の実施形態の構成＞
図１２は、本発明の第４の実施形態に係るデジタル地上波放送用受信機４００の構成を示すブロック図である。このデジタル地上波放送用受信機４００は、これを電話回線や広域ネットワーク（ＷＡＮ）などの通信回線に接続するためのモデム等の通信制御部５２をチャンネル配置情報の受信手段として備えており、この点で図９に示した第３の実施形態に係るデジタル地上波放送用受信機３００と相違する。また、このデジタル地上波放送用受信機４００は、ユーザの指示によってプリセット動作を開始させるための全チャンネルサーチボタン５４およびそれに付随する回路を備えている。これら以外の部分についての第４の実施形態の構成は第３の実施形態と同様であるので、同一の構成要素には同一の参照符号を付してその詳しい説明を省略する。
【００９１】
＜４.２  第４の実施形態の動作および効果＞
第４の実施形態に係るデジタル地上波放送用受信機４００では、図１３に示すように、全チャンネルサーチボタン５４がユーザ等によって押下（ＯＮ）されると（ステップＳ４００）、全チャンネルサーチ部２１からプリセット動作の開始を示す信号が制御用マイコン１５に入力され、図１１に示されている手順で全チャンネル選局サーチが行われる（ステップＳ４０２）。
【００９２】
したがって、第４の実施形態によれば、今までに存在しなかった新規チャンネルでデジタル放送が開始された場合や、デジタル放送のチャンネル配置が変更された場合には、全チャンネルサーチボタンを押下（ＯＮ）すると、新規チャンネルでのデジタル放送の周波数やチャンネル配置変更後のデジタル放送の周波数が各チャンネルと対応付けてチャンネルデータ不揮発性記憶部１８に保存される。これにより、新規チャンネルでデジタル放送が開始された場合や、デジタル放送のチャンネル配置が変更された場合であっても、それらのデジタル放送を受信できるようになる。なお、上記において「チャンネル配置の変更」とは、或るチャンネルの放送がアナログ放送からデジタル放送に変更されること、または、或るチャンネルのデジタル放送の周波数が変更されること（例えば正規の周波数から上側オフセットの周波数に変更されること）を意味するものとする。
【００９３】
また、第４の実施形態は、新規チャンネルでデジタル放送が開始された場合や、デジタル放送のチャンネル配置が変更された場合には、放送局から電話回線やＷＡＮなどを介してチャンネル配置情報が各デジタル地上波放送用受信機に送信されることを前提とする構成を有している。すなわち、放送局から通信回線５１を介してチャンネル配置情報が送信されると、デジタル地上波放送用受信機４００は、通信制御部５２によりこれを受信する。そしてデジタル地上波放送用受信機４００は、受信したチャンネル配置情報の内容に応じて、下記に述べるいずれかの処理を行う。
【００９４】
（１）チャンネル配置情報がデジタル放送用の新規チャンネルの追加またはチャンネル配置変更があったことのみを通知するものである場合
通信制御部５２は、チャンネル配置情報を受信すると（ステップＳ４１０）、そのチャンネル配置情報を全チャンネルサーチ部２１に送る。全チャンネルサーチ部２１は、このチャンネル配置情報を受け取ると、プリセット動作の開始の指示を制御用マイコン１５に送る。これにより、図１１に示されている手順で全チャンネル選局サーチが実行される（ステップＳ４１２）。
【００９５】
（２）チャンネル配置情報が新規追加の又は配置変更後のデジタル放送用チャンネルの番号を含む場合
通信制御部５２は、新規追加の又は配置変更後のデジタル放送用チャンネルの番号Ｎを含むチャンネル配置情報を受信すると、このデジタル放送用チャネル番号Ｎと共に単チャンネル選局サーチの指示を制御用マイコン１５に送る。これにより、図８に示されている手順で単チャンネル選局サーチが実行される（ステップＳ４２４）。そして、この単チャンネル選局サーチにより、その番号Ｎのチャンネルに対する放送周波数が求められ、チャンネルデータ不揮発性記憶部１８に保存される。
【００９６】
（３）チャンネル配置情報が新規追加の又は配置変更後のデジタル放送用チャンネルの放送周波数を示す情報を含む場合
通信制御部５２は、新規追加の又は配置変更後のデジタル放送用チャンネルの放送周波数Ｆｂを示す情報を含むチャンネル配置情報を受信すると、この放送周波数Ｆｂを示す情報と共に単チャンネル選局サーチの指示を制御用マイコン１５に送る。制御用マイコン１５はこれらを受け取ると、そのデジタル放送用チャンネルの周波数としてその放送周波数Ｆｂをチャンネルデータ不揮発性記憶部１８に保存する（ステップＳ４３４）。
【００９７】
第４の実施形態では、上記の（１）〜（３）の各場合における動作により、チャンネルデータ不揮発性記憶部１８に保存されている各チャンネルの放送周波数のうち、新規追加の又は配置変更後のデジタル放送用チャンネルの放送周波数が新規に保存または更新されるため、今までに存在しなかった新規チャンネルでデジタル放送が開始された場合や、デジタル放送のチャンネル配置が変更された場合であっても、それらのデジタル放送を受信することが可能となる。
【００９８】
なお、第４の実施形態のデジタル地上波放送用受信機において、ユーザにより希望チャンネルが選択された場合の選局動作は、第３の実施形態の場合と同様であるのでその説明を省略する（図７、図８、図１０参照）。
【００９９】
＜４.３  第４の実施形態の変形例＞
上記の第４の実施形態では、デジタル放送用の新規チャンネルが追加された場合やチャンネル配置が変更された場合にのみ放送局からチャンネル配置情報が送信されるものとしたが、定期的にチャンネル配置情報が送信される場合であっても、同様の動作を行うことにより（図１４〜図１６参照）、同様の効果が得られる。また、このチャンネル配置情報には、追加または変更に係るチャンネルではないがその送信時点においてデジタル放送が行われているチャンネルの識別情報が含まれていてもよく、その識別情報とともにそのチャンネルの放送周波数が含まれていてもよい。この場合も、上記第４の実施形態と同様、このチャンネル配置情報に基づき、チャンネルデータ不揮発性記憶部１８において、デジタル放送用チャンネルの放送周波数を新規に保存または更新すればよい。
【０１００】
さらに、上記の第４の実施形態では、放送局からデジタル地上波放送用受信機へのチャンネル配置情報の送信には電話回線などの通信回線が使用されるものとしたが、放送電波によりチャンネル配置情報が送信されるものとしてもよい。
【０１０１】
＜５．第５の実施形態＞
＜５.１  第５の実施形態の構成＞
図１７は、本発明の第５の実施形態に係るデジタル地上波放送用受信機５００の構成を示すブロック図である。このデジタル地上波放送用受信機５００は、所定期間間隔で全チャンネル選局サーチ（プリセット動作）を起動するための信号を出力するタイマー６２を備えており、この点で図９に示した第３の実施形態に係るデジタル地上波放送用受信機３００と相違する。また、このデジタル地上波放送用受信機５００は、プリセット動作を開始させるための全チャンネルサーチボタン５４およびそれに付随する回路を備えている。これら以外の部分についての第５の実施形態の構成は第３の実施形態と同様であるので、同一の構成要素には同一の参照符号を付してその詳しい説明を省略する。
【０１０２】
＜５.２  第５の実施形態の動作および効果＞
第５の実施形態に係るデジタル地上波放送用受信機５００においても、図１２に示した第４の実施形態に係るデジタル地上波放送用受信機４００と同様、図１３に示すように、全チャンネルサーチボタン５４がユーザ等によって押下（ＯＮ）されると（ステップＳ４００）、全チャンネルサーチ部２１からプリセット動作の開始を示す信号が制御用マイコン１５に入力され、図１１に示されている手順で全チャンネル選局サーチが行われる（ステップＳ４０２）。
【０１０３】
したがって、第５の実施形態によれば、第４の実施形態と同様、今までに存在しなかった新規チャンネルでデジタル放送が開始された場合や、デジタル放送のチャンネル配置が変更された場合であっても、全チャンネルサーチボタンを押下（ＯＮ）することにより、それらのデジタル放送を受信できるようになる。
【０１０４】
また、第５の実施形態では、今まで存在しなかった新規チャンネルでデジタル放送が開始された場合や、デジタル放送のチャンネル配置が変更された場合に対応するために、タイマー６２を備えている。このタイマー６２は、予め決められた期間毎に（例えば１日毎または１週間毎に）、全チャンネルサーチ起動信号Ｓｓを出力する（ステップＳ５００）。この全チャンネルサーチ起動信号Ｓｓは、全チャンネルサーチ部２１に入力される。全チャンネルサーチ部２１は、この全チャンネルサーチ起動信号Ｓｓが入力されると、プリセット動作の開始の指示を制御用マイコン１５に送る。これにより、図１１に示されている手順で全チャンネル選局サーチが実行される（ステップＳ５０２）。その結果、チャンネルデータ不揮発性記憶部１８に保存されている各チャンネルの放送周波数のうち、新規追加の又は配置変更後のデジタル放送用チャンネルの放送周波数が新規に保存または更新される。これにより、今までに存在しなかった新規チャンネルでデジタル放送が開始された場合や、デジタル放送のチャンネル配置が変更された場合であっても、それらのデジタル放送を受信することが可能となる。
【０１０５】
なお、第５の実施形態のデジタル地上波放送用受信機においても、ユーザにより希望チャンネルが選択された場合の選局動作は、第３の実施形態の場合と同様であるのでその説明を省略する（図７、図８、図１０参照）。
【図面の簡単な説明】
【図１】本発明の第１の実施形態に係るデジタル地上波放送用受信機の構成を示すブロック図。
【図２】第１の実施形態に係るデジタル地上波放送用受信機におけるフロントエンド部の第１の構成例を示すブロック図。
【図３】第１の実施形態に係るデジタル地上波放送用受信機におけるフロントエンド部の第２の構成例を示すブロック図。
【図４】第１の実施形態に係るデジタル地上波放送用受信機におけるフロントエンド部の第３の構成例を示すブロック図。
【図５】第１の実施形態に係るデジタル地上波放送用受信機の選局動作を示すフローチャート。
【図６】本発明の第２の実施形態に係るデジタル地上波放送用受信機の構成を示すブロック図。
【図７】第２の実施形態に係るデジタル地上波放送用受信機の選局動作を示すフローチャート。
【図８】第２の実施形態に係るデジタル地上波放送用受信機における単チャンネル選局サーチの手順を示すフローチャート。
【図９】本発明の第３の実施形態に係るデジタル地上波放送用受信機の構成を示すブロック図。
【図１０】第３の実施形態に係るデジタル地上波放送用受信機の選局動作の一例を示すフローチャート。
【図１１】第３の実施形態に係るデジタル地上波放送用受信機における全チャンネル選局サーチの手順を示すフローチャート。
【図１２】本発明の第４の実施形態に係るデジタル地上波放送用受信機の構成を示すブロック図。
【図１３】第４の実施形態に係るデジタル地上波放送用受信機におけるプリセットのための処理を示すフローチャート。
【図１４】第４の実施形態に係るデジタル地上波放送用受信機においてデジタル放送用新規チャンネルの追加またはチャンネル配置の変更に対処するための処理の第１の例を示すフローチャート。
【図１５】第４の実施形態に係るデジタル地上波放送用受信機においてデジタル放送用新規チャンネルの追加またはチャンネル配置の変更に対処するための処理の第２の例を示すフローチャート。
【図１６】第４の実施形態に係るデジタル地上波放送用受信機においてデジタル放送用新規チャンネルの追加またはチャンネル配置の変更に対処するための処理の第３の例を示すフローチャート。
【図１７】本発明の第５の実施形態に係るデジタル地上波放送用受信機の構成を示すブロック図。
【図１８】第５の実施形態に係るデジタル地上波放送用受信機においてデジタル放送用新規チャンネルの追加またはチャンネル配置の変更に対処するための処理の一例を示すフローチャート。
【図１９】隣接チャンネルにおいてアナログ放送が行われていない場合におけるデジタル放送の周波数の割り当てを示す図。
【図２０】上側の隣接チャンネルにおいてアナログ放送が行われている場合におけるデジタル放送の周波数の割り当てを示す図。
【図２１】下側の隣接チャンネルにおいてアナログ放送が行われている場合におけるデジタル放送の周波数の割り当てを示す図。
【符号の説明】
１１…   地上波放送用アンテナ
１３…   フロントエンド部
１４…   ＭＰＥＧデコード部
１５…   制御用マイコン
１６…   選局部
１７…   チャンネル初期データ記憶部
１８…   チャンネルデータ不揮発性記憶部
２１…   全チャンネルサーチ部
３２…   選局フィルタ
３３…   ミキサ
３４…   ＰＬＬ回路
３５…   発振器
３９…   ＯＦＤＭ復調部
３１０… 誤り訂正部
３１１… ＶＣＸＯ制御部
５１…   通信回線
５２…   通信制御部
５４…   全チャンネルサーチボタン
６２…   タイマー
１００、２００、３００、４００、５００… デジタル地上波放送用受信機
Ｓch…   チャンネル指定信号
Ｓc1、Ｓc2… 制御信号
Ｓck…   システムクロック
Ｖｃ…   制御電圧
Ｓvc…   制御電圧信号
Ｓsync… ＯＦＤＭ同期信号
ＤBER … ＢＥＲ測定情報
【図１】
0004354593.tif 000002
【図２】
0004354593.tif 000003
【図３】
0004354593.tif 000004
【図４】
0004354593.tif 000005
【図５】
0004354593.tif 000006
【図６】
0004354593.tif 000007
【図７】
0004354593.tif 000008
【図８】
0004354593.tif 000009
【図９】
0004354593.tif 000010
【図１０】
0004354593.tif 000011
【図１１】
0004354593.tif 000012
【図１２】
0004354593.tif 000013
【図１３】
0004354593.tif 000014
【図１４】
0004354593.tif 000015
【図１５】
0004354593.tif 000016
【図１６】
0004354593.tif 000017
【図１７】
0004354593.tif 000018
【図１８】
0004354593.tif 000019
【図１９】
0004354593.tif 000020
【図２０】
0004354593.tif 000021
【図２１】
0004354593.tif 000022